(57)【特許請求の範囲】
【請求項１】
被処理水を好気処理する曝気装置を有する曝気槽、及び該曝気装置を制御する制御装置を少なくとも備える好気性排水処理システムであって、
該制御装置は、該被処理水の水質特性値に基づき、予め準備した該被処理水の水質特性値と好気処理後の処理水の水質特性値と好気処理時間との関係式により、該好気処理後の該処理水の該水質特性値が予め設定した適正値以下となる目標好気処理時間を演算する演算部を有し、
該演算部により演算されて得られた該目標好気処理時間以上の時間、該曝気装置により好気処理を行い、
該水質特性値が、有機物濃度であることを特徴とする好気性排水処理システム。
【請求項２】
前記好気性排水処理システムが、前記被処理水の前記水質特性値を検出し前記制御装置に出力する検出装置を備え、
前記演算部は、該検出装置で検出された前記水質特性値に基づき、前記目標好気処理時間を演算する請求項１に記載の好気性排水処理システム。
【請求項３】
前記好気性排水処理システムが、原水槽及び該原水槽から前記曝気槽へ被処理水を送水する送水手段を備え、
該原水槽が、前記検出装置を有する請求項２に記載の好気性排水処理システム。
【請求項４】
前記検出装置が、紫外線吸光度計又は有機体炭素（ＴＯＣ）自動計測器であり、
前記水質特性値が、該紫外線吸光度計により得られた紫外線吸光度から換算されたＢＯＤ若しくはＣＯＤ、該有機体炭素（ＴＯＣ）自動計測器により得られたＴＯＣ、又は該ＴＯＣから換算されたＢＯＤ若しくはＣＯＤである請求項２又は３に記載の好気性排水処理システム。
【請求項５】
前記紫外線吸光度計又は前記有機体炭素（ＴＯＣ）自動計測器が、懸濁質除去装置を備える請求項４に記載の好気性排水処理システム。
【請求項６】
前記水質特性値が、ＢＯＤ、ＣＯＤ及びＴＯＣからなる群から選択される少なくとも一
である請求項１〜５のいずれか一項に記載の好気性排水処理システム。
【請求項７】
前記関係式が、下記式（１）であり、
前記制御装置において、前記目標好気処理時間を、下記式（１）で演算した好気処理後の処理水の水質特性値が予め設定した適正値以下となる時間Ｔ（分）の最小値として設定する請求項１〜６のいずれか一項に記載の好気性排水処理システム。
（好気処理後の処理水の水質特性値）＝
｛（被処理水の水質特性値）−α｝ｅ−ｋＴ＋αｅ−ｍＴ      （１）
（式（１）中、該水質特性値がＣＯＤ（ｍｇ／Ｌ）であり、αは予め通常時の水質特性値を有する被処理水を６時間以上好気処理して得られたＣＯＤの０．５倍〜２倍の値であり、ｋ（分−１）が１以下であり、ｍ（分−１）が０．０１００以下である。）
【請求項８】
前記関係式が、下記式（２）であり、
前記制御装置において、前記目標好気処理時間を、下記式（２）で演算した好気処理後の処理水の水質特性値が予め設定した適正値以下となる時間Ｔ（分）の最小値として設定する請求項１〜６のいずれか一項に記載の好気性排水処理システム。
（好気処理後の処理水の水質特性値）＝
｛（被処理水の水質特性値）−α｝ｅ−ｋＴ＋αｅ−ｍＴ      （２）
（式（２）中、該水質特性値がＢＯＤ（ｍｇ／Ｌ）であり、αが該被処理水の該ＢＯＤの１．００倍未満の値であり、ｋ（分−１）が１以下であり、ｍ（分−１）が０．０１０以下である。）
【請求項９】
前記曝気槽が、連続式活性汚泥処理槽又は生物膜処理槽であり、
前記目標好気処理時間を、曝気時間及び前記被処理水の流入量の制御により達成する請求項１〜８のいずれか一項に記載の好気性排水処理システム。
【請求項１０】
前記曝気槽が、回分式活性汚泥処理槽であり、
前記目標好気処理時間を、曝気時間の制御により達成する請求項１〜８のいずれか一項に記載の好気性排水処理システム。
【請求項１１】
被処理水を好気処理する曝気装置を有する曝気槽を少なくとも備える好気性排水処理システムによる排水処理方法であって、
該被処理水の水質特性値に基づき、予め準備した該被処理水の水質特性値と好気処理後の処理水の水質特性値と好気処理時間との関係式により、該好気処理後の該処理水の該水質特性値が予め設定した適正値以下となる目標好気処理時間を演算する演算工程、及び
該目標好気処理時間以上の時間、該曝気装置により好気処理を行う処理工程、を含み、
該演算工程において用いる該水質特性値が、有機物濃度である排水処理方法。
【請求項１２】
前記好気性排水処理システムが、前記被処理水の前記水質特性値を検出する検出装置を備え、
前記演算工程において、該検出装置で検出された前記水質特性値に基づき、前記目標好気処理時間を演算する請求項１１に記載の排水処理方法。
【請求項１３】
前記好気性排水処理システムが、原水槽及び該原水槽から前記曝気槽へ被処理水を送水する送水手段を備え、
該原水槽が、前記検出装置を有する請求項１２に記載の排水処理方法。
【請求項１４】
前記演算工程において用いる水質特性値が、ＢＯＤ、ＣＯＤ及びＴＯＣからなる群から選択される少なくとも一である請求項１１〜１３のいずれか一項に記載の排水処理方法。
【請求項１５】
前記関係式が、下記式（１）であり、
前記演算工程において、前記目標好気処理時間を、下記式（１）で演算した好気処理後の処理水の水質特性値が予め設定した適正値以下となる時間Ｔ（分）の最小値として設定する請求項１１〜１４のいずれか一項に記載の好気性排水処理方法。
（好気処理後の処理水の水質特性値）＝
｛（被処理水の水質特性値）−α｝ｅ−ｋＴ＋αｅ−ｍＴ      （１）
（式（１）中、該水質特性値がＣＯＤ（ｍｇ／Ｌ）であり、αは予め通常時の水質特性値を有する被処理水を６時間以上好気処理して得られたＣＯＤの０．５倍〜２倍の値であり、ｋ（分−１）が１以下であり、ｍ（分−１）が０．０１００以下である。）
【請求項１６】
前記関係式が、下記式（２）であり、
前記演算工程において、前記目標好気処理時間を、下記式（２）で演算した好気処理後の処理水の水質特性値が予め設定した適正値以下となる時間Ｔ（分）の最小値として設定する請求項１１〜１４のいずれか一項に記載の好気性排水処理方法。
（好気処理後の処理水の水質特性値）＝
｛（被処理水の水質特性値）−α｝ｅ−ｋＴ＋αｅ−ｍＴ      （２）
（式（２）中、該水質特性値がＢＯＤ（ｍｇ／Ｌ）であり、αが該被処理水の該ＢＯＤの１．００倍未満の値であり、ｋ（分−１）が１以下であり、ｍ（分−１）が０．０１０以下である。）
【発明の詳細な説明】
【技術分野】
【０００１】
本開示は、好気性排水処理システム及び排水処理方法に関する。具体的には、好気性排水処理における最適な好気処理時間を設定し、処理水質を適正とする排水処理システム及び排水処理方法に関する。
【背景技術】
【０００２】
食品工場や農水産物加工工場、紙パルプ工場等から排出される排水や公共下水の処理には、好気性排水処理が広く適用されている。好気性排水処理とは、好気性微生物により被処理水中の有機汚濁物を処理し、生物化学的酸素要求量（ＢＯＤ）、化学的酸素要求量（ＣＯＤ）及び有機体炭素（ＴＯＣ）の濃度を低減する処理である。例えば、標準活性汚泥法、回分式活性汚泥法、接触酸化法及びオキシデーションディッチ法等が存在する。接触酸化法は、微生物を固定する担体を用いる方法で、固定床式と流動床式に大別され、ポリエチレン製やポリプロピレン製の担体が使用される。
好気性排水処理には溶存酸素が不可欠であるため、好気性微生物を含む汚泥又は担体を被処理水に混ぜた混合液に酸素を供給する曝気槽が用いられる。曝気槽には、ブロワーが供給する空気を気泡にして混合液に酸素を溶解させる散気管式の散気装置や、混合液の表面及び液中に設置した攪拌翼で混合液を攪拌して酸素を溶解させる表面攪拌式やドラフトチューブ式の曝気装置が設置され、曝気装置で消費する電力が好気性排水処理のエネルギー負荷の大部分を占める。
近年では、処理水の質の向上のため、好適な曝気条件を設定する様々な取り組みがなされている。
例えば、特許文献１では、一次処理水を好気処理する排水処理システムにおいて、一次処理水の処理指標値に基づき目標曝気量を決める排水処理システムが開示されている。
また、特許文献２では、間欠曝気式活性汚泥法の制御方法において、流入水の流量と水温を入力層、曝気時間を出力層としてニューラルネットワークを構築し、処理良好時の入力に対する出力を学習させ、曝気時間を調整する方法が開示されている。
【先行技術文献】
【特許文献】
【０００３】
【特許文献１】特開２０１８−１０３１１３号公報
【特許文献２】特開平１０−０１５５７７号公報
【発明の概要】
【発明が解決しようとする課題】
【０００４】
しかしながら、特許文献１のシステムは、フィードバック制御であるため、処理能力を超える流入負荷がある場合、処理不能となる可能性がある。
また、特許文献２の方法では、水温は年間を通じて変動するため、最低１年間のデータが必要になってしまう。
本開示は、好気性排水処理において、より簡便に最適な目標好気処理時間を設定できる排水処理システム及び排水処理方法を提供する。
【課題を解決するための手段】
【０００５】
［１］  被処理水を好気処理する曝気装置を有する曝気槽、及び該曝気装置を制御する制御装置を少なくとも備える好気性排水処理システムであって、
該制御装置は、該被処理水の水質特性値に基づき、予め準備した該被処理水の水質特性値と好気処理時間との関係式により、該水質特性値が予め設定した適正値以下となる目標好気処理時間を演算する演算部を有し、
該演算部により演算されて得られた該目標好気処理時間以上の時間、該曝気装置により好気処理を行うことを特徴とする好気性排水処理システム。
［２］  前記水質特性値が、有機物濃度である［１］に記載の好気性排水処理システム。［３］  前記好気性排水処理システムが、前記被処理水の前記水質特性値を検出し前記制御装置に出力する検出装置を備え、
前記演算部は、該検出装置で検出された前記水質特性値に基づき、前記目標好気処理時間を演算する［１］又は［２］に記載の好気性排水処理システム。
［４］  前記好気性排水処理システムが、原水槽及び該原水槽から前記曝気槽へ被処理水を送水する送水手段を備え、
該原水槽が、前記検出装置を有する［３］に記載の好気性排水処理システム。
［５］  前記検出装置が、紫外線吸光度計又は有機体炭素（ＴＯＣ）自動計測器である［３］又は［４］に記載の好気性排水処理システム。
［６］  前記紫外線吸光度計又は前記有機体炭素（ＴＯＣ）自動計測器が、懸濁質除去装置を備える［５］に記載の好気性排水処理システム。
［７］  前記水質特性値が、ＢＯＤ、ＣＯＤ及びＴＯＣからなる群から選択される少なくとも一である［１］〜［６］のいずれか一項に記載の好気性排水処理システム。
［８］  前記関係式が、下記式（１）であり、
前記制御装置において、前記目標好気処理時間を、下記式（１）で演算した好気処理後の処理水の水質特性値が予め設定した適正値以下となる時間Ｔ（分）の最小値として設定する［１］〜［７］のいずれか一項に記載の好気性排水処理システム。
（好気処理後の処理水の水質特性値）＝
｛（被処理水の水質特性値）−α｝ｅ−ｋＴ＋αｅ−ｍＴ      （１）
（式（１）中、該水質特性値がＣＯＤ（ｍｇ／Ｌ）であり、αは予め通常時の水質特性値を有する被処理水を６時間以上好気処理して得られたＣＯＤの０．５倍〜２倍の値であり、ｋ（分−１）が１以下であり、ｍ（分−１）が０．０１００以下である。）
［９］  前記関係式が、下記式（２）であり、
前記制御装置において、前記目標好気処理時間を、下記式（２）で演算した好気処理後の処理水の水質特性値が予め設定した適正値以下となる時間Ｔ（分）の最小値として設定する［１］〜［７］のいずれか一項に記載の好気性排水処理システム。
（好気処理後の処理水の水質特性値）＝
｛（被処理水の水質特性値）−α｝ｅ−ｋＴ＋αｅ−ｍＴ      （２）
（式（２）中、該水質特性値がＢＯＤ（ｍｇ／Ｌ）であり、αが該被処理水の該ＢＯＤの１．００倍未満の値であり、ｋ（分−１）が１以下であり、ｍ（分−１）が０．０１０以下である。）
［１０］  前記曝気槽が、連続式活性汚泥処理槽又は生物膜処理槽であり、
前記目標好気処理時間を、曝気時間及び前記被処理水の流入量の制御により達成する［１］〜［９］のいずれか一項に記載の好気性排水処理システム。
［１１］  前記曝気槽が、回分式活性汚泥処理槽であり、
前記目標好気処理時間を、曝気時間の制御により達成する［１］〜［９］のいずれか一項に記載の好気性排水処理システム。
［１２］  被処理水を好気処理する曝気装置を有する曝気槽を少なくとも備える好気性排水処理システムによる排水処理方法であって、
該被処理水の水質特性値に基づき、予め準備した該被処理水の水質特性値と好気処理時間との関係式により、該水質特性値が予め設定した適正値以下となる目標好気処理時間を演算する演算工程、及び
該目標好気処理時間以上の時間、該曝気装置により好気処理を行う処理工程、を含む排水処理方法。
［１３］  前記演算工程において用いる前記水質特性値が、有機物濃度である［１２］に記載の排水処理方法。
［１４］  前記好気性排水処理システムが、前記被処理水の前記水質特性値を検出する検
出装置を備え、
前記演算工程において、該検出装置で検出された前記水質特性値に基づき、前記目標好気処理時間を演算する［１２］又は［１３］に記載の排水処理方法。
［１５］  前記好気性排水処理システムが、原水槽及び該原水槽から前記曝気槽へ被処理水を送水する送水手段を備え、
該原水槽が、前記検出装置を有する［１４］に記載の排水処理方法。
［１６］  前記演算工程において用いる水質特性値が、ＢＯＤ、ＣＯＤ及びＴＯＣからなる群から選択される少なくとも一である［１２］〜［１５］のいずれか一項に記載の排水処理方法。
【発明の効果】
【０００６】
本開示によれば、好気性排水処理において、より簡便に最適な目標好気処理時間を設定できる好気性排水処理システム及び排水処理方法を提供できる。
【図面の簡単な説明】
【０００７】
【図１】排水処理システムの構成図
【図２】排水処理システムの構成図
【図３】排水処理システムの構成図
【発明を実施するための形態】
【０００８】
数値範囲を表す「ＸＸ以上ＹＹ以下」や「ＸＸ〜ＹＹ」の記載は、特に断りのない限り、端点である下限及び上限を含む数値範囲を意味する。
数値範囲が段階的に記載されている場合、各数値範囲の上限及び下限は任意に組み合わせることができる。
【０００９】
以下、実施形態の好気性排水処理システム及び排水処理方法を、図面を参照して説明する。
図１は、第一の実施形態における好気性排水処理システムの構成図である。
図１に示す好気性排水処理システム１００は、曝気装置２を有する曝気槽５、及び被処理水を曝気槽５に送水する送水手段（不図示）を備える。曝気装置２は、制御装置４により制御されている。制御装置４は、被処理水の水質特性値に基づき、予め準備した被処理水の水質特性値と好気処理時間との関係式により、被処理水の水質特性値が予め設定した適正値以下となる目標好気処理時間を演算する演算部を有する。
【００１０】
図中の矢印は、水（被処理水、処理水）の流れを示している。被処理水が、送水手段により曝気槽５に送水される。一方で、制御装置４に曝気槽５中の被処理水の水質特性値が入力される。そうすると、制御装置４における演算部は、該水質特性値から、予め準備した被処理水の水質特性値と好気処理時間との関係式により、被処理水の水質特性値が予め設定した適正値以下となる目標好気処理時間を演算する。
そして、制御装置４は曝気装置２を制御し、演算部により演算されて得られた目標好気処理時間以上の時間、曝気装置２により被処理水を好気処理する。好気処理後の処理水は、曝気槽５から排水される。
【００１１】
制御装置４への水質特性値の入力手段は特に制限されない。被処理水が曝気槽５に送水されるまでに測定した水質特性値を、制御装置４へ入力すればよい。例えば、被処理水を曝気槽５に送水する送水手段中、又は曝気槽５内に、被処理水の水質特性値を検出し制御装置４に出力する検出装置を備えていてもよい。水質特性値の測定及び測定値の制御装置４への入力は、自動で行ってもよいし、手動で行ってもよい。
上記排水処理システムを用いた排水処理方法においては、被処理水の水質特性値に基づき、予め準備した被処理水の水質特性値と好気処理時間との関係式により、目標好気処理
時間を演算する演算工程、及び該目標好気処理時間以上の時間、曝気装置２により好気処理を行う処理工程を含む。
【００１２】
図２は、第二の実施形態における好気性排水処理システムの構成図である。この排水処理システムでは、被処理水の水質特性値を検出し制御装置４に出力する検出装置３を備える。
具体的には、図２に示す好気性排水処理システム１００は、原水槽１、曝気槽５、及び原水槽１から曝気槽５へ被処理水を送水する送水手段（不図示）を備える。原水槽１は、被処理水の水質特性値を検出する検出装置３を有する。なお、図２では、検出装置３は、原水槽１に備えられているが、原水槽１から曝気槽５への送水ライン（送水手段）中にあってもよいし、曝気槽５中にあってもよい。
原水槽は、必要に応じて原水槽１内の被処理水を循環させる循環装置を有していてもよい。さらに、排水処理システムは、検出装置３により検出された水質特性値を入力として、予め準備した被処理水の水質特性値と好気処理時間との関係式により、目標好気処理時間を演算する演算部を有する制御装置４を備える。制御装置４は、曝気槽５に設置した曝気装置２を制御する。
【００１３】
原水槽１に被処理水が供給され、検出装置３が、原水槽１中の被処理水の水質特性値を検出する。検出された水質特性値が制御装置４の演算部に入力されると、演算部は、検出装置で検出された水質特性値に基づき、予め準備した被処理水の水質特性値と好気処理時間との関係式により、被処理水の水質特性値が予め設定した適正値以下となる目標好気処理時間を演算する。
排水処理方法の場合は、演算工程において、検出装置３で検出された水質特性値に基づき、上記関係式により目標好気処理時間を演算する。
【００１４】
一方、原水槽１内の被処理水は、曝気槽５に送水される。曝気槽５において、被処理水は、制御装置４の演算部により算出された目標好気処理時間以上の時間、曝気装置２により好気処理される。好気処理後の処理水は、曝気槽５から排水手段（不図示）により排水される。
このように、検出装置を有することで排水処理をフィードフォワードで制御しやすくなる。
被処理水が汚濁しているような場合、原水槽１は、検出装置３の前段に前処理装置６を有していてもよい。前処理装置６としては、懸濁物除去を目的としたバースクリーンや濃度調整を目的とした希釈装置を単独で又はこれらを組み合わせて使用しうる。バースクリーンは汚染されやすいため、洗浄機能を有することが好ましい。
【００１５】
検出装置３としては、例えば、紫外線吸光度計や有機体炭素（ＴＯＣ）自動計測器などの全有機体炭素計（ＴＯＣ計）が挙げられる。検出装置は、紫外線吸光度計又はＴＯＣ自動計測器であることが好ましく、紫外線吸光度計であることがより好ましい。このような検出装置であれば、所望の水質特性値を連続的にかつ自動的に測定することができる。
紫外線吸光度計又は有機体炭素（ＴＯＣ）自動計測器が懸濁質除去装置を備えることが好ましい。懸濁質除去装置により安定した水質特性値の測定が可能となる。懸濁質除去装置は、懸濁質を除去できるものであれば特に制限されない。例えば、バースクリーン、ろ過装置などが挙げられる。
【００１６】
好気処理時間とは、曝気槽５中の被処理水が好気状態となっている時間である。好気状態とは、被処理水に溶存酸素が存在する条件であり、曝気槽５中の被処理水の溶存酸素濃度（ＤＯ濃度）又は酸化還元電位（ＯＲＰ）が指標となる。
溶存酸素量については、０．１ｍｇ／Ｌ以上であることが必要であり、好ましくは１．０ｍｇ／Ｌ以上、より好ましくは２．０ｍｇ／Ｌ以上である。酸化還元電位については、
プラスの値である（０ｍＶより大きい）ことが必要であり、好ましくは５０ｍＶ以上、より好ましくは１００ｍＶ以上である。
被処理水が好気状態となっている合計の時間が目標好気処理時間以上であればよい。すなわち、好気処理を間欠で行ってもよい。好気処理の途中で、曝気装置２を停止させるなどして、被処理水が嫌気状態となることがあってもよい。
【００１７】
目標好気処理時間は、被処理水の流入量、処理水の排出量、曝気槽容積、曝気槽中の被処理水の滞留時間、曝気時間及び間欠曝気割合（１時間のうち曝気槽を好気状態としている時間の割合）などを考慮して達成すればよい。
例えば、被処理水の流入量及び曝気槽容積などから、曝気槽中の被処理水の平均滞留時間を算出し、平均滞留時間のうちの好気処理時間が、目標好気処理時間以上になるように好気処理すればよい。回分式の曝気槽であれば曝気時間により目標好気処理時間を達成すればよいし、連続式の曝気槽であれば平均滞留時間のうちの好気処理時間により目標好気処理時間を達成すればよい。
【００１８】
好気状態は、曝気装置２で制御する。曝気装置は、特に制限されず、ブロワーを用いるものや表面撹拌式のものなど公知のものを採用すればよい。
例えば、電源周波数制御で風量調整が可能なブロワーを用いることができる。また、例えば、間欠曝気割合を曝気槽内の溶存酸素濃度を１．０ｍｇ／Ｌ以上とできる主ブロワーと曝気槽内の溶存酸素濃度は１．０ｍｇ／Ｌ未満となるが、曝気槽底部への汚泥沈降及びブロワー目詰まりを防止できる補助ブロワーとの切り替え運転で制御することもできる。
【００１９】
水質特性値は、例えば、有機物濃度などの有機物量が挙げられる。水質特性値は、好ましくはＢＯＤ、ＣＯＤ、ＴＯＣ、及びＴＯＤ（全酸素要求量）からなる群から選択される少なくとも一であり、より好ましくはＢＯＤ、ＣＯＤ及びＴＯＣからなる群から選択される少なくとも一であり、さらに好ましくはＢＯＤ及びＣＯＤからなる群から選択される少なくとも一である。
ＢＯＤ（生物化学的酸素消費量）とは、水中の好気性微生物によって消費される溶存酸素の量をいう。
ＣＯＤ（化学的酸素要求量）とは、水中の被酸化性物質によって消費された酸化剤の酸素換算量をいう。
ＴＯＣ（有機体炭素）とは、水中に存在する有機物中の炭素を言い、燃焼酸化−赤外線式ＴＯＣ分析法又は燃焼酸化−赤外線式ＴＯＣ自動計測法により求める。
本発明者らの検討によると、ＢＯＤ、ＣＯＤ及びＴＯＣなどの有機物濃度の低下は、好気処理時間との関係性が強く、ＢＯＤ、ＣＯＤ及びＴＯＣなどの有機物濃度に着目することで、少ないデータから、水温の影響をあまり受けず年間を通じて適用可能な目標好気処理時間の算出が行いやすい。
【００２０】
紫外線吸光度計などの検出装置による検出値は、処理水質項目に応じて、検量線からＢＯＤやＣＯＤに換算して制御装置４で演算することも可能である。水質特性値は、紫外線吸光度からの換算値であることが好ましい。紫外線吸光度計は連続測定可能なものが好ましい。
紫外線吸光度計による検出値は、以下の手順でＢＯＤ又はＣＯＤに換算すればよい。
【００２１】
紫外線吸光度計（ＵＶ計）としては、例えば、堀場アドバンスドテクノ製有機性汚濁物質測定装置ＣＷ−１５０を用いることができる。
ＢＯＤは、ＪＩＳ  Ｋ０１０２  ２１．「生物化学的酸素消費量」に準拠した分析値と紫外線吸光度計の測定値から定めた検量線を用いて、紫外線吸光度から換算する。
ＣＯＤは、ＪＩＳ  Ｋ０１０２  １７．「１００℃における過マンガン酸カリウムによる酸素消費量」に準拠した分析値と紫外線吸光度計の測定値から定めた検量線を用いて、
紫外線吸光度から換算する。
また、紫外線吸光度の代わりにＪＩＳ  Ｋ０１０２  ２２．「有機体炭素」に準拠したＴＯＣ自動計測器により測定したＴＯＣを用いて、ＴＯＣとＢＯＤ又はＣＯＤとの相関関係よりＴＯＣからＢＯＤ又はＣＯＤに換算することも可能である。
【００２２】
制御装置４の演算部は、被処理水の水質特性値に基づき、予め準備した被処理水の水質特性値と好気処理時間との関係式から目標好気処理時間を演算する。上記関係式を取得する手段は特に制限されない。
例えば、あらかじめ、好気処理時間と、有機物濃度などの水質特性値と、の関係（時系列データ）を取得し、これらから得られた関係式を採用することができる。まず、好気処理時間に応じた有機物濃度などの水質特性値の時系列データを複数取得する。これらのデータをプロットしたデータ群から最小二乗法により、好気処理時間と水質特性値との関係式を求める。
【００２３】
時系列データの取得は一度でもよいし、季節ごとに複数回行ってもよい。
関係式を求める際は、排水処理に供する被処理水のうち、通常時の水質特性値を有する被処理水から得られた水質特性値を使用すればよい。すなわち、普段、その排水処理に供している被処理水を使用すればよい。その排水処理に供している被処理水のうち、平均的な水質特性値を有する被処理水を使用することが好ましい。
そして、得られた関係式に基づき、制御装置４により、所望の水質特性値となる目標好気処理時間を算出すればよい。
【００２４】
ＢＯＤ及び／又はＣＯＤを指標として、下記式（Ａ）により目標好気処理時間を演算することで、年間を通じて好適な目標好気処理時間を演算できるため好ましい。
すなわち、上記関係式が、下記式（Ａ）であることが好ましい。制御装置において、目標好気処理時間を、下記式（Ａ）で演算した好気処理後の処理水の水質特性値が予め設定した適正値以下となる時間Ｔ（分）の最小値として設定することが好ましい。
（好気処理後の処理水の水質特性値）＝
｛（被処理水の水質特性値）−α｝ｅ−ｋＴ＋αｅ−ｍＴ      （Ａ）
好気処理後の処理水の水質特性値を、任意の管理値以下（例えば、ＣＯＤ６０ｍｇ／Ｌ以下）とするために最低限必要な目標好気処理時間Ｔは、被処理水の水質特性値（例えばＣＯＤ）から、式（Ａ）により好気処理後の処理水の水質特性値が管理値（６０ｍｇ／Ｌ）となる時間Ｔ（分）を求めることで、制御装置４により自動設定できる。
係数であるα、ｋ及びｍは、排水処理に供する被処理水の水質特性値に応じて、好気処理時間と水質特性値との時系列データから、最小二乗法により決定することができる。
【００２５】
水質特性値がＣＯＤである場合は、紫外線吸光度から検量線で換算した被処理水のＣＯＤ（ｍｇ／Ｌ）を下記式（１）に代入し、式（１）の好気処理後の処理水のＣＯＤ（ｍｇ／Ｌ）が目標値以下となる最低の時間Ｔ（分）を目標好気処理時間とすることが好ましい。
（好気処理後の処理水のＣＯＤ）＝
｛（被処理水のＣＯＤ）−α｝ｅ−ｋＴ＋αｅ−ｍＴ        ・・・（１）
【００２６】
式（１）中、Ｔは時間（分）である。αは、予め通常時の水質特性値を有する被処理水を、６時間以上好気処理（より好ましくは６時間好気処理）して得られたＣＯＤ（ｍｇ／Ｌ）の０．５倍〜２倍の値とすることが好ましい。より好ましくは、０．７倍〜１．５倍、０．８倍〜１．３倍、０．９倍〜１．２倍である。
また、具体的には、好ましくは、αは、４０〜８０、５０〜７０、５５〜６５、５８〜６２である。特に好ましくは、αは６０である。
ｋ（分−１）は、好ましくは１以下である。より好ましくは、０．５以下、０．３以下
、０．２以下、０．１５以下である。一方、ｋ（分−１）は、好ましくは０．０１以上、０．０５以上、０．０８以上である。ｋ（分−１）は、特に好ましくは０．１２である。
ｍ（分−１）は、好ましくは０．０１００以下である。ｍ（分−１）は、より好ましくは０．００１５以下である。一方、ｍ（分−１）は、好ましくは０．００００１以上、０．０００１以上、０．０００５以上、０．０００８以上である。ｍ（分−１）は、特に好ましくは０．００１である。
上記、数値範囲の上限及び下限は、任意に組み合わせることができる。
【００２７】
水質特性値がＢＯＤである場合は、紫外線吸光度から検量線で換算した被処理水のＢＯＤ（ｍｇ／Ｌ）を下記式（２）に代入し、式（２）の好気処理後の処理水のＢＯＤ（ｍｇ／Ｌ）が目標値以下となる最低の時間Ｔ（分）を目標好気処理時間とすることが好ましい。
（好気処理後の処理水のＢＯＤ）＝
｛（被処理水のＢＯＤ）−α｝ｅ−ｋＴ＋αｅ−ｍＴ        ・・・（２）
【００２８】
式（２）中、Ｔは時間（分）である。αは被処理水のＢＯＤの１．００倍未満の実数値である。すなわち、被処理水のＢＯＤ濃度（ｍｇ／Ｌ）をｂとしたとき、αは、１．００ｂ未満である。αは、好ましくは０．４９ｂ以下、０．３０ｂ以下、０．２０ｂ以下、０．１０ｂ以下である。一方、αは、好ましくは０．０１ｂ以上、０．０４ｂ以上、０．０５ｂ以上、０．０６ｂ以上である。αは、特に好ましくは０．０８ｂである。
ｋ（分−１）は、好ましくは１以下である。より好ましくは、０．５以下、０．４以下、０．３以下、０．２５以下である。一方、ｋ（分−１）は、好ましくは０．０１以上、０．０５以上、０．０８以上である。ｋ（分−１）は、特に好ましくは０．１である。
ｍ（分−１）は、好ましくは０．０１０以下である。ｍ（分−１）は、より好ましくは０．００７以下、０．００５以下である。一方、ｍ（分−１）は、好ましくは０．０００１以上、０．００１以上、０．００３以上である。ｍ（分−１）は、特に好ましくは０．００４である。
上記、数値範囲の上限及び下限は、任意に組み合わせることができる。
【００２９】
制御装置４の演算部が演算した目標好気処理時間に基づき、曝気装置２の運休転時間を制御すればよい。システムが曝気槽５及び曝気装置２を複数備える場合、好気処理時間は曝気装置２の運転台数の調整により制御してもよい。
図３に示す第三の実施形態は、曝気槽５が、隔壁等で直列に複数段に分割された系列が１系列又は複数系列（図３では２系列）から構成される連続処理方式の態様である。分割された各曝気槽５に曝気装置２が個別に設置され、個別の曝気装置２の運休転を、制御装置４が演算した目標好気処理時間に応じ調整する。
すなわち、直列に設置された曝気槽５における、一室あたりの平均滞留時間に応じて好気処理時間を調整すればよい。演算された目標好気処理時間が短い場合は、直列に設置された曝気槽における一部の曝気装置を停止させておくこともできる。
【００３０】
曝気槽は、特に制限されず、公知の好気的生物処理に用いられる曝気槽を適用しうる。例えば、活性汚泥処理槽（標準活性汚泥処理槽、オキシデーションディッチ槽、膜分離活性汚泥処理槽、嫌気好気活性汚泥処理槽及び嫌気無酸素好気活性汚泥処理槽などの連続式活性汚泥処理槽並びに回分式活性汚泥処理槽）、生物膜処理槽（接触酸化槽、回転円盤生物膜処理槽、固定床担体生物膜処理槽、流動床担体生物膜処理槽、生物膜ろ過処理槽など）が挙げられる。
曝気槽が、回分式活性汚泥処理槽の場合、回分式で処理する際の曝気時間を、制御装置４の演算部が演算した目標好気処理時間以上となるよう調整すればよい。
【００３１】
曝気槽は、活性汚泥処理槽又は生物膜処理槽であることが好ましい。
連続式活性汚泥処理槽又は生物膜処理槽の場合、制御装置の演算部により演算された目標好気処理時間を、曝気時間及び被処理水の流入量の制御により達成することが好ましい。
また、曝気槽が回分式の活性汚泥処理槽の場合、制御装置により演算された目標好気処理時間を、曝気時間の制御により達成することが好ましい。
なお、生物膜処理槽において逆洗浄工程を行う場合、逆洗浄工程では目標好気処理時間を、曝気時間の制御により達成することが好ましい。この場合、被処理水の水質特性値と好気処理時間との関係式を取得するにあたり、好気処理時間に応じた有機物濃度などの水質特性値の時系列データを、逆洗浄工程を実施して取得すればよい。
なお、本開示の排水処理システムにより、適切な好気処理時間を設定できるため、従来と比較して好気処理時間を短縮できる。短縮された時間を有効活用して逆洗浄工程を実施することもできる。
【００３２】
被処理水は、好気性処理を適用しうる排水であれば特に制限されない。被処理水は、食品工場、農水産物加工工場又は紙パルプ工場等からの排水や公共下水など、いわゆる有機性排水であることが好ましい。
被処理水のＢＯＤ（ｍｇ／Ｌ）は、好ましくは１００００以下、３０００以下、１０００以下、５００以下、３００以下、２００以下であればよい。一方、下限は、好ましくは５０以上、１００以上、１５０以上であればよい。
被処理水のＣＯＤ（ｍｇ／Ｌ）は、好ましくは１００００以下、３０００以下、１０００以下、５００以下、３００以下、２００以下であればよい。一方、下限は、好ましくは５０以上、１００以上、１５０以上であればよい。
被処理水のＢＯＤ／ＣＯＤが極端に高い場合は、上記濃度となるように希釈装置などにより水で希釈すればよい。上記のような被処理水であれば、排水処理システムを好適に適用できる。
【００３３】
被処理水の水温は、特に制限されないが、１０℃〜４２℃程度であればよい。好ましくは１３℃〜３８℃であり、より好ましくは１５℃〜３６℃である。上記温度であれば、排水処理システムを好適に適用できる。
【実施例】
【００３４】
以下、実施例により本発明を具体的に説明する。
【００３５】
以下の手順により、ＢＯＤ／ＣＯＤと、好気処理時間との関係式を設定した。
工場の活性汚泥装置は曝気槽が２系列あり、それぞれ直列で１系は１５室、２系は７室で構成される。曝気装置を間引き運転可能なため、曝気装置を停止している槽は処理に寄与していないと仮定した積算曝気時間Ｔ（以下、時間Ｔ／単位：分）と、ＣＯＤ又はＢＯＤとの関係を調査した。
ＣＯＤ／ＢＯＤ（ｍｇ／Ｌ）を管理値以下とするのに必要な時間Ｔ（目的変数）を、被処理水のＣＯＤ／ＢＯＤ（説明変数）から推定することを考えた。
【００３６】
曝気槽の各室の滞留時間と曝気装置の稼働状況から各室の積算曝気時間Ｔが定まるため、各室から時間Ｔの異なるサンプルを採取した。採取したサンプルから汚泥をろ過したろ液のＣＯＤ／ＢＯＤを分析し、時間Ｔに対するＣＯＤ／ＢＯＤの変化の数式化を試みた。
サンプルの採取は、２０１８年１１月２７日から２０１９年９月１７日までの期間中に計７回実施した。
７回それぞれの調査ごとに、１系、２系それぞれの時間Ｔ（目的変数）とＣＯＤ又はＢＯＤ（説明変数）を系列に関係なくプロットし、両者に以下の関係式が成立すると仮定し、プロットしたデータ群から最小二乗法で関係式の４つの係数を決定した。
ＣＯＤ又はＢＯＤ  ＝  Ａｅ−ｋ・Ｔ＋Ｂｅ−ｍ・Ｔ 
（Ａ，Ｂ，ｋ，ｍは係数）
【００３７】
７回の調査で得られた関係式を比較し、係数の関係性から、年間を通じて適用可能な以下の統一式でＣＯＤ及びＢＯＤを表現できた。具体的には、７回の調査それぞれで、データから最小二乗法で得た回帰式の定数係数と原水濃度の関係を、ＣＯＤ及びＢＯＤそれぞれについてまとめ、回帰式の形式より各係数を決定した。
ＣＯＤ＝（Ｃ０−６０）ｅ−０．１２Ｔ＋６０ｅ−０．００１Ｔ
ＢＯＤ＝Ｃ０｛（１−０．０８）ｅ−０．１Ｔ＋０．０８ｅ−０．００４Ｔ｝
（ただし、Ｃ０は、被処理水（原水）のＣＯＤ又はＢＯＤ（ｍｇ／Ｌ）である。）
得られた各回帰式における主要項の係数と、原水のＣＯＤ／ＢＯＤとの関係から、ＢＯＤ及びＣＯＤの処理速度の衰える濃度が原水濃度に比例し、水温の影響はあまり受けていないと推測された。
【００３８】
（実施例１）
板紙工場の曝気槽が直列に８室（曝気装置Ｎｏ．１〜Ｎｏ．８）に分割された標準活性汚泥施設において、処理水のＢＯＤが１５ｍｇ／Ｌ以下となるように曝気条件を調整した。曝気槽は、各室の容積が２２５ｍ３であり、８槽合計１８００ｍ３である。調査時の処理排水量は１０，０００ｍ３／日であったことから、１室あたりの平均滞留時間は３２分である。
曝気槽流入原水のＵＶ吸光度をＢＯＤに換算したところ３００ｍｇ／Ｌであったことから、下記処理時間Ｔと処理水ＢＯＤとの関係式に基づき、処理水ＢＯＤが１５ｍｇ／Ｌ以下となる目標好気処理時間Ｔを求めたところ７３分であった。
（処理水ＢＯＤ）＝
３００×｛（１−０．０８）ｅ−０．１Ｔ＋０．０８ｅ−０．００４Ｔ｝
上記試算された目標好気処理時間７３分に基づき、曝気装置の運用を表１の通りとしたところ、処理後の処理水のＢＯＤは１４ｍｇ／Ｌとなった。
なお、第二槽（曝気装置Ｎｏ．２）出口（滞留時間６４分）での処理水のＢＯＤは、１６ｍｇ／Ｌで目標とした１５ｍｇ／Ｌ以下に未達であった。
また、すべての曝気装置の運用を１０分間運転、２５分間停止の間欠運転としたところ、いずれの室においても曝気装置稼働後９０秒で好気状態となり、曝気槽停止後１２０秒間好気状態を維持し、処理水のＢＯＤは１５ｍｇ／Ｌとなった。
【００３９】
【表１】
0006841365.tif 000002
【００４０】
（実施例２）
板紙工場の曝気槽が直列に８室（曝気装置Ｎｏ．１〜Ｎｏ．８）に分割された標準活性汚泥施設において、処理水のＣＯＤが６０ｍｇ／Ｌ以下となるように曝気条件を調整した。曝気槽は、各室の容積が２２５ｍ３であり、８槽合計１８００ｍ３である。調査時の処理排水量は１０，０００ｍ３／日であったことから、１室あたりの平均滞留時間は３２分である。
曝気槽流入原水のＵＶ吸光度をＣＯＤに換算したところ１８０ｍｇ／Ｌであったことから、下記処理時間Ｔと処理水ＣＯＤとの関係式に基づき、処理水ＣＯＤが６０ｍｇ／Ｌ以下となる目標好気処理時間Ｔを求めたところ４１分であった。
（処理水ＣＯＤ）＝
｛１８０−６０｝ｅ−０．１２Ｔ＋６０ｅ−０．００１Ｔ
上記試算された滞留時間４１分に基づき、曝気装置の運用を表２の通りとしたところ、処理水のＣＯＤは５７ｍｇ／Ｌとなった。
なお、第一槽出口（滞留時間３２分）での処理水のＣＯＤは、６３ｍｇ／Ｌで目標とした６０ｍｇ／Ｌ以下に未達であった。
また、すべての曝気装置の運用を６０分間に１５分間運転の間欠運転としたところ、いずれの室においても曝気装置稼働後９０秒で好気状態となり、曝気槽停止後１２０秒間好気状態を維持し、処理水のＣＯＤは５７ｍｇ／Ｌとなった。
【００４１】
【表２】
0006841365.tif 000003
【符号の説明】
【００４２】
１００：好気性排水処理システム、１：原水槽、２：曝気装置、３：検出装置、４：制御装置、５：曝気槽、６：前処理装置
【要約】
【課題】好気性排水処理において、より簡便に最適な目標好気処理時間を設定できる好気性排水処理システム。
【解決手段】被処理水を好気処理する曝気装置を有する曝気槽、及び該曝気装置を制御する制御装置を少なくとも備える好気性排水処理システムであって、該制御装置は、該被処理水の水質特性値に基づき、予め準備した該被処理水の水質特性値と好気処理時間との関係式により、該水質特性値が予め設定した適正値以下となる目標好気処理時間を演算する演算部を有し、該演算部により演算されて得られた該目標好気処理時間以上の時間、該曝気装置により好気処理を行うことを特徴とする好気性排水処理システム。
【選択図】図１【図１】
0006841365.tif 000004
【図２】
0006841365.tif 000005
【図３】
0006841365.tif 000006